Podtech/llm-jp-corpus-v4-ja_patent huggingface dataset:
【手続補正書】
【提出日】平成19年12月19日(2007.12.19)
【手続補正１】
【補正対象書類名】明細書
【補正対象項目名】００１８
【補正方法】変更
【補正の内容】
【００１８】
前記重合においては、従来からのシングルサイト触媒を用いたものでもマルチサイト触媒を用いたものでも所望の分子構造を有するものであれば適宜選択することができるが、シングルサイト触媒を用いて重合することにより、確実に各分子量成分に亘って共重合組成比の変動が抑制することが防止できる。その結果、分子構造が均一となり、酸化が各分子鎖間で均一に進行することによって、過剰な副反応を抑制し、無意味な分子切断による酸化副生成物の発生を抑制することができるため、好ましい。好適な触媒としては、メタロセン系触媒が挙げられる。他の触媒としてはポストメタロセン系触媒に位置づけられるオレフィン重合用触媒、特にフェノキシイミン触媒（ＦＩ触媒）が好適である。一方、シングルサイト触媒以外の触媒である例えば、チーグラーナッタ触媒等のマルチサイト触媒を用いて重合した場合は、エチレンとコモノマーとの共重合比が各分子鎖間で揃い難く、酸化が局所的に集中するなどの好ましくない状況が発生する。また、主鎖から分岐する側鎖が０．００３ｅｑ／ｇを超えると、選択的に酸化が起き易い、側鎖の結合点に当たる三級炭素が主鎖中に多くなり、主鎖切断により低分子の生成頻度が増えて、やはりフレーバー等に悪影響を与える低分子成分の発生の原因となる。側鎖の好適範囲は、０．０００３〜０．００３ｅｑ／ｇ、特に０．０００５〜０．００３ｅｑ／ｇであり、この範囲にあることで、酸化副生成物の低減の他に、安定な酸素吸収性、熱安定性が確保されるので好ましい。
【手続補正２】
【補正対象書類名】明細書
【補正対象項目名】００４４
【補正方法】変更
【補正の内容】
【００４４】
［実施例１］
ベース樹脂として、シングルサイト触媒線状低密度ポリエチレン［エボリューＳＰ０５１０Ｂ：三井化学（株）、（数平均分子量：３．３×１０4）］（ＬＬＤＰＥ１）７６．０重量％と、マルチサイト触媒線状低密度ポリエチレン［２０−Ｔ２０５：三井化学（株）、（数平均分子量：１．５×１０4）］（ＬＬＤＰＥ２）１９．０重量％の２種類を用いた。
一方、トリガー樹脂はスチレン総量が２重量％になるようにトリガー樹脂Ａとして水添スチレン−ブタジエン−スチレン共重合体［タフテックＰ２０００：旭化成ケミカルズ（株）］２．５重量％、トリガー樹脂Ｂとして水添スチレン−ブタジエン−スチレン共重合体［ダイナロン１３２０Ｐ：ＪＳＲ（株）］２．５重量％の２種類を用いた。
これらのベース樹脂及びトリガー樹脂を用いて、前記酸素吸収性樹脂組成物のペレットを作製し、次いで、シート状に成形し、誘導期間の評価、酸素吸収速度の評価、揮発性酸化分解物量の評価を行った。
このシートは、誘導期間、酸素吸収速度ともに良好であり、酸化による分解物も少なかった。
【手続補正３】
【補正対象書類名】明細書
【補正対象項目名】００４８
【補正方法】変更
【補正の内容】
【００４８】
［実施例５］
実施例１において、ベース樹脂としてＬＬＤＰＥ１を７７．６重量％と、ＬＬＤＰＥ２を１９．４重量％とを用い、トリガー樹脂として水添スチレン−ブタジエン−スチレン共重合体［タフテックＰ２０００：旭化成ケミカルズ（株）］（トリガー樹脂Ａ）を３重量％のみ用いた以外は実施例１と同様にシートを作製し評価を行った。
このシートは、比較的分岐の多いマルチサイト触媒のＬＬＤＰＥ２をブレンドすることで誘導期間短縮の効果が認められ、酸化による分解物も少なかった。
【手続補正４】
【補正対象書類名】明細書
【補正対象項目名】００４９
【補正方法】変更
【補正の内容】
【００４９】
［実施例６］
実施例４において、ベース樹脂としてＬＬＤＰＥ１を５８．２重量％と、高圧法低密度ポリエチレン（ＬＤＰＥ）を３８．８重量％とを用い、トリガー樹脂として水添スチレン−ブタジエン−スチレン共重合体［タフテックＰ２０００：旭化成ケミカルズ（株）］（トリガー樹脂Ａ）を３重量％のみ用いた以外は実施例１と同様にシートを作製し評価を行った。
このシートは、比較的分岐の多いＬＤＰＥをブレンドすることで誘導期間短縮の効果が認められ、酸化による分解物は実施例１と比較するとやや多いが問題となるレベルではなかった。
【手続補正５】
【補正対象書類名】明細書
【補正対象項目名】００５５
【補正方法】変更
【補正の内容】
【００５５】
【表１】
2006176751.tif 000001
【手続補正書】
【提出日】平成20年7月8日(2008.7.8)
【手続補正１】
【補正対象書類名】明細書
【補正対象項目名】特許請求の範囲
【補正方法】変更
【補正の内容】
【特許請求の範囲】
【請求項１】 文字データと画像データとデータ表示制御データとを含む書籍データを表示手段の表示画面に表示制御可能な電子情報処理装置であって、前記データ表示制御データを解析する解析手段と、前記解析手段の解析結果に応じた出力手順にしたがって前記書籍データを順次前記表示画面に表示する表示制御手段とを備え、前記表示制御手段は、前記解析手段の解析結果に応じて前記表示画面に画像データのうちの選択された領域の画像データを画像閲覧の焦点対象を表す注視点を順次移動させながら表示すると共に当該画像データに対応付けられた文字データを当該画像データに対応付けられた位置に表示することを特徴とする電子情報処理装置。
【請求項２】 前記書籍データは画像データがコマ画像、文字データが漫画の吹出し部のセリフデータである漫画データであり、前記表示制御手段は、前記漫画データを所定の表示順にしたがって少なくとも漫画のコマ単位で前記表示画面に表示制御することを特徴とする請求項１記載の電子情報処理装置。
【請求項３】 前記データ表示制御データにはコマに対する所定形状のマスクデータが含まれ、前記表示制御手段はマスクをかけて表示した漫画データのマスク内部を外部に比較して強調表示し書籍データ閲覧者に注目と強調を与えた漫画表示を可能とする請求項２記載の電子情報処理装置。
【請求項４】 前記データ制御データは、スクリプト言語で表わされた画像データと文字データの表示座標位置、閲覧の焦点対象を表わす注視点の移動順序情報を含むことを特徴とする請求項１乃至請求項３のいずれかに記載の電子情報処理装置。
【請求項５】 文字データと画像データとデータ表示制御データとを含む書籍データを表示手段の表示画面に表示制御可能な電子情報処理装置における電子情報処理方法であって、前記書籍データ中のデータ表示制御データを解析し、前記解析結果に応じて前記表示画面に画像データのうちの選択された領域の画像データを画像閲覧の焦点対象を表す注視点を順次移動させながら表示すると共に当該画像データに対応付けられた文字データを当該画像データに対応付けられた位置に表示することを特徴とする電子情報処理方法。
【請求項６】 前記書籍データは画像データがコマ画像、文字データが漫画の吹出し部のセリフデータとする漫画データであり、前記表示制御手段は、漫画のコマ単位で前記表示画面に表示制御することを特徴とする請求項５記載の電子情報処理方法。
【請求項７】 前記データ表示制御データにはコマに対する所定形状のマスクデータが含まれ、表示制御時にはマスクをかけて表示した漫画データのマスク内部を外部に比較して強調表示し書籍データ閲覧者に注目と強調を与えた漫画表示を可能とする請求項６記載の電子情報処理方法。
【請求項８】 前記データ制御データは、スクリプト言語で表わされた画像データと文字データの表示座標位置、閲覧の焦点対象を表わす注視点の移動順序情報を含むことを特徴とする請求項５乃至請求項７のいずれかに記載の電子情報処理方法。
【請求項９】 文字データと画像データとデータ表示制御データとを含む書籍データを表示手段の表示画面に表示制御可能な電子情報処理装置で実行可能なコンピュータプログラムであって、前記書籍データ表示制御を解析する解析プログラム列と、前記解析プログラム列による解析結果に応じた出力手順にしたがって前記書籍データを順次前記表示画面に表示する表示制御プログラム列とを備え、前記表示制御プログラム列は、前記解析プログラム列での解析結果に応じて前記表示画面に画像データのうちの選択された領域の画像データを画像閲覧の焦点対象を表す注視点を順次移動させながら表示すると共に当該画像データに対応付けられた文字データを当該画像データに対応付けられた位置に表示することを特徴とするコンピュータプログラム。
【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
照明光を発する発光素子と、
前記発光素子を変調発光させる変調手段と、
前記照明光によって照明されている被写体を撮影する撮影装置で使用される信号を、前記照明光に重畳させるように前記変調手段を制御する変調制御手段とを備えることを特徴とする照明装置。
【請求項２】
請求項１に記載の照明装置において、
前記撮影装置で使用される信号は、前記撮影装置の撮影条件の変更に用いる情報、および前記撮影装置の撮影場面を説明する情報の少なくとも一方を含むことを特徴とする照明装置。
【請求項３】
信号が重畳されている照明光を受光する受光素子と、
前記受光素子による受光信号を復調する復調手段と、
前記復調手段で復調された信号に含まれる情報を用いて、撮影条件を変更する撮影条件変更手段と、
前記変更後の撮影条件で撮影を行う撮影手段とを備えることを特徴とする撮影装置。
【請求項４】
請求項３に記載の撮影装置において、
前記撮影条件は、絞り値、シャッター速度、および色温度調整基準の少なくとも１つを含むことを特徴とする撮影装置。
【請求項５】
信号が重畳されている照明光を受光する受光素子と、
前記受光素子による受光信号を復調する復調手段と、
前記復調手段で復調された信号に含まれる情報を記録媒体に記録する情報記録手段とを備えることを特徴とする撮影装置。
【請求項６】
請求項５に記載の撮影装置において、
被写体像を撮影して電子画像を得る撮像装置をさらに備え、
前記復調手段により復調された信号は撮影場面を説明する情報を含み、
前記情報記録手段は、前記撮影場面を説明する情報を前記電子画像とともに前記記録媒体に記録することを特徴とする撮影装置。
【請求項７】
請求項２に記載の照明装置において、
前記撮影装置の撮影場面を説明する情報は、前記照明装置が設けられている施設の情報、あるいは該施設で行われている試合の進行状況を含むことを特徴とする照明装置。
【請求項８】
請求項６に記載の撮影装置において、
前記撮影装置の撮影場面を説明する情報は、前記照明光を発する装置が設けられている施設の情報、あるいは該施設で行われている試合の進行状況を含むことを特徴とする撮影装置。
【請求項９】
請求項３または４に記載の撮影装置において、
前記撮影条件変更手段は、前記照明光の変調周波数より低速のシャッター速度を設定することを特徴とする撮影装置。
【請求項１０】
請求項３〜６、８、および９のいずれか一項に記載の撮影装置において、
前記撮影装置には、閃光発光を行う閃光発光装置が設けられており、
前記撮影装置が、前記照明光を前記受光素子で受光し、かつ前記復調手段で復調された信号に含まれる情報を使って撮影条件を変更するモードに設定されている場合には、前記閃光発光装置による閃光発光動作を禁止することを特徴とする撮影装置。
【請求項１１】
請求項１、２または７に記載の照明装置と、
請求項３〜６、８〜１０のいずれか一項に記載の撮影装置とを備えることを特徴とする撮影システム。
【手続補正２】
【補正対象書類名】明細書
【補正対象項目名】０００６
【補正方法】変更
【補正の内容】
【０００６】
（１）請求項１に記載の発明による照明装置は、照明光を発する発光素子と、発光素子を変調発光させる変調手段と、照明光によって照明されている被写体を撮影する撮影装置で使用される信号を、照明光に重畳させるように変調手段を制御する変調制御手段とを備えることを特徴とする。
（２）請求項１に記載の照明装置において、撮影装置で使用される信号は、撮影装置の撮影条件の変更に用いる情報、および撮影装置の撮影場面を説明する情報の少なくとも一方を含むように構成してもよい。
（３）請求項３に記載の発明による撮影装置は、信号が重畳されている照明光を受光する受光素子と、受光素子による受光信号を復調する復調手段と、復調手段で復調された信号に含まれる情報を用いて、撮影条件を変更する撮影条件変更手段と、変更後の撮影条件で撮影を行う撮影手段とを備えることを特徴とする。
（４）請求項３に記載の撮影装置において、撮影条件は、絞り値、シャッター速度、および色温度調整基準の少なくとも１つを含むようにしてもよい。
（５）請求項５に記載の発明による撮影装置は、信号が重畳されている照明光を受光する受光素子と、受光素子による受光信号を復調する復調手段と、復調手段で復調された信号に含まれる情報を記録媒体に記録する情報記録手段とを備えることを特徴とする。
（６）請求項５に記載の撮影装置はさらに、被写体像を撮影して電子画像を得る撮像装置を備えてもよく、この場合の復調手段により復調された信号は撮影場面を説明する情報を含み、撮影場面を説明する情報を電子画像とともに記録媒体に記録するように情報記録手段を構成してもよい。
（７）請求項２に記載の照明装置において、撮影装置の撮影場面を説明する情報は、照明装置が設けられている施設の情報、あるいは該施設で行われている試合の進行状況を含んでもよい。
（８）請求項６に記載の撮影装置において、撮影装置の撮影場面を説明する情報は、照明光を発する装置が設けられている施設の情報、あるいは該施設で行われている試合の進行状況を含んでもよい。
（９）請求項３または４に記載の撮影装置において、撮影条件変更手段は、照明光の変調周波数より低速のシャッター速度を設定することもできる。
（１０）請求項３〜６、８、および９のいずれか一項に記載の撮影装置において、撮影装置には、閃光発光を行う閃光発光装置が設けられてもよく、撮影装置が、照明光を受光素子で受光し、かつ復調手段で復調された信号に含まれる情報を使って撮影条件を変更するモードに設定されている場合には、閃光発光装置による閃光発光動作を禁止することもできる。
（１１）請求項１１に記載の発明による撮影システムは、請求項１、２または７に記載の照明装置と、請求項３〜６、８〜１０のいずれか一項に記載の撮影装置とを備えることを特徴とする。
【手続補正３】
【補正対象書類名】明細書
【補正対象項目名】０００７
【補正方法】変更
【補正の内容】
【０００７】
請求項１、１１に記載の発明では、撮影装置で使用される信号を照明装置の照明光に重畳させるようにしたので、信号を撮影装置へ直接送ることができる。
請求項３、１１に記載の発明では、照明光を受光した信号に含まれる情報を用いて撮影条件を変更するようにしたので、変更情報を撮影装置に入力する操作を不要にできる。
請求項５、１１に記載の発明では、照明光を受光した信号に含まれる情報を記録媒体に記録するようにしたので、記録情報を撮影装置に入力する操作を不要にできる。
【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
第１圧縮画像情報を受け、これをデコードして画像情報を出力する第1デコード部と、
前記第１圧縮画像情報又は第２圧縮画像情報を受け、これをデコードして画像情報を出力する第２デコード部と、
前記画像情報を記憶領域に格納するバッファ部と、
前記第１デコード部が前記バッファ部の記憶領域の内、第１容量の記憶領域を用いて前記第１圧縮画像情報をデコードして第１出力端に出力している際に、指示信号が与えられるとこれに応じて、前記第２デコード部が、前記バッファ部の記憶領域の内、前記第１容量よりも少ない第２容量の記憶領域を用いて、前記第１圧縮画像情報又は第２圧縮画像情報をデコードして出力するべく、前記第１デコード部及び前記第２デコード部を制御する制御部とを具備することを特徴とするデコード回路。
【請求項２】
前記制御部は、前記第１デコード部が前記バッファ部の記憶領域の内、第１容量の記憶領域を用いて前記第１圧縮画像情報をデコードして前記第１出力端へ出力している際に、指示信号が与えられるとこれに応じて、前記第１デコード部のデコード処理と出力とを続行しながら、前記第２デコード部が、前記バッファ部の記憶領域の内、前記第１容量よりも少ない第２容量の記憶領域を用いて、前記第１圧縮画像情報をデコードして出力するべく、前記第１デコード部及び前記第２デコード部を制御することを特徴とする請求項１記載のデコード回路。
【請求項３】
前記制御部は、前記第１デコード部に供給される前記第１圧縮画像情報が外部のチューナ部の所定チャンネルに応じた画像情報であり、その後、前記所定チャンネルとは異なるチャンネルの画像情報が前記第１デコード部に供給されることとなった場合でも、前記第２デコード部は、最初の前記所定チャンネルに応じた画像情報をデコードして出力を続けていくことを特徴とする請求項２記載のデコード回路。
【請求項４】
前記制御部は、前記第１デコード部が前記バッファ部の記憶領域の内、第１容量の記憶領域を用いて前記第１圧縮画像情報をデコードして前記第１出力端に出力している際に、指示信号が与えられるとこれに応じて、前記第１デコード部が前記バッファ部の前記第２容量の記憶領域を用いて前記第１圧縮画像情報をデコードすると共に、前記第２デコード部も、前記バッファ部の前記第２容量の記憶領域を用いて、前記第２圧縮画像情報をデコードするべく、前記第１デコード部及び前記第２デコード部を制御することを特徴とする請求項１記載のデコード回路。
【請求項５】
前記制御部は、前記第１デコード部が前記バッファ部の前記第２容量の記憶領域を用いて前記第１圧縮画像情報をデコードしており、前記第２デコード部が前記バッファ部の前記第２容量の記憶領域を用いて前記第２圧縮画像情報をデコードしている際に、指示信号が与えられるとこれに応じて、前記第１デコード部がデコードした画像情報又は前記第２デコード部がデコードした第２画像情報の少なくとも一方を出力すべく制御することを特徴とする請求項４記載のデコード回路。
【請求項６】
前記第２容量は、前記第１容量の１／２の容量であることを特徴とする請求項１記載のデコード回路。
【請求項７】
前記第１圧縮画像情報は、ＭＰＥＧストリームであり、前記第１デコード部及び第２デコード部は、ＭＰＥＧデコード処理を行なうことを特徴とする請求項１記載のデコード回路。
【請求項８】
バッファ部の記憶領域を用いて圧縮画像情報をデコードするデコード方法であり、
前記バッファ部の記憶領域の内、第１容量の記憶領域を用いて第１圧縮画像情報をデコードして第１出力端に出力し、
このとき、指示信号が与えられるとこれに応じて、前記バッファ部の記憶領域の内、前記第１容量よりも少ない第２容量の記憶領域を用いて、前記第１圧縮画像情報又は第２圧縮画像情報をデコードして出力することを特徴とするデコード方法。
【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
共用のアンテナ端子と、通過帯域が異なる複数の送受信系の送信経路及び受信経路と、前記アンテナ端子と前記送信経路及び受信経路との間に接続された分波回路と、前記分波回路と接続される入出力端子と、前記受信経路に接続される入力（受信）端子と、前記送信経路に接続される出力（送信）端子とを有し、前記入出力端子と前記出力（送信）端子及び入力（受信）端子との間に前記アンテナ端子と送信経路の接続及び前記アンテナ端子と受信経路との接続を切り換えるアンテナスイッチ回路を設けたアンテナスイッチモジュールにおいて、前記アンテナスイッチ回路のうち、前記送信経路にはダイオード素子とローパスフィルタを直列に接続しており、さらに前記ダイオード素子とローパスフィルタとの間に伝送線路を設けたことを特徴とするアンテナスイッチモジュール。
【請求項２】
一端同士が接続されて直列に接続されたコンデンサ素子とインダクタ素子を有し、前記コンデンサ素子の他端は前記入出力端子とダイオード素子との間に接続され、前記インダクタ素子の他端は前記伝送線路とローパスフィルタの間に接続されていることを特徴とする請求項１記載のアンテナスイッチモジュール。
【請求項３】
前記ダイオード素子は、入出力端子側をアノード、出力端子側をカソードとしたことを特徴とする請求項１又は２記載のアンテナスイッチモジュール。
【請求項４】
請求項１乃至３の何れかに記載のアンテナスイッチモジュールを用いたことを特徴とする通信装置。
【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
複数の機能を有し、前記複数の機能に基づいてそれぞれ発生する複数種のプリントジョブを実行する画像処理装置であって、
前記複数種のプリントジョブのイメージデータが印刷前に一時的に記憶される第１記憶部と、
外部装置から受信したプリントジョブのプリントデータを記憶する第２記憶部と、
前記第２記憶部に記憶された前記プリントデータを展開してイメージデータを生成する生成部と、
前記生成部が生成した前記イメージデータを前記第１記憶部に転送する転送部と、
前記第１記憶部の残容量に応じて、前記転送部における前記第１記憶部への転送を制御する制御部と、を備えたことを特徴とする画像処理装置。
【請求項２】
請求項１に記載の画像処理装置において、
前記制御部は、前記第１記憶部の残容量が所定値以下になったか否かを判定する残容量判定部を含み、
前記制御部は、前記残容量が前記所定値以下の場合、前記転送部における前記第１記憶部への転送を一時的に停止することを特徴とする画像処理装置。
【請求項３】
請求項１または２に記載の画像処理装置において、
前記制御部は、前記第１記憶部に記憶されている前記イメージデータの記憶容量が所定値以上か否かを判定する記憶容量判定部を含み、
前記制御部は、前記記憶容量が前記所定値以上の場合、前記転送部における前記第１記憶部への転送を一時的に停止することを特徴とする画像処理装置。
【請求項４】
請求項１乃至３いずれかに記載の画像処理装置において、
前記制御部は、前記第１記憶部の前記残容量が前記第２記憶部の記憶容量より少ないか否かを比較する容量比較部を含み、
前記制御部は、前記第１記憶部の前記残容量が前記第２記憶部の記憶容量より少ない場合に、前記転送部における前記第１記憶部への転送を一時的に停止することを特徴とする画像処理装置。
【請求項５】
外部のコンピュータからのプリントデータの第１プリントジョブおよび、ファクシミリ処理部またはコピー処理部からのイメージデータの第２プリントジョブを実行する画像処理装置であって、
前記コンピュータから前記プリントデータを受信する受信部と、
前記プリントデータを展開してイメージデータを生成する生成部と、
前記イメージデータを蓄積するバッファと、
を含む第１基板と、
前記第１基板と電気的に接続された第２基板と、
前記第１基板から前記第２基板に前記イメージデータを転送する転送部と、
を備え、
前記第２基板は、
前記第１基板から転送された前記イメージデータを受信する第１受信部と、
前記第２プリントジョブを実行する前記イメージデータを前記ファクシミリ処理部または前記コピー処理部から受信する第２受信部と、
前記第１および第２受信部が受信した前記イメージデータを格納する記憶部と、
前記記憶部に格納された前記イメージデータを印字する印字部と、
前記第２基板の記憶部の残容量に応じて、前記転送部における前記第１基板から前記第２基板への前記イメージデータの転送を制御する制御部と、
を含むことを特徴とする画像処理装置。
【手続補正２】
【補正対象書類名】明細書
【補正対象項目名】０００７
【補正方法】変更
【補正の内容】
【０００７】
本発明によれば、複数の機能を有し、前記複数の機能に基づいてそれぞれ発生する複数種のプリントジョブを実行する画像処理装置であって、
前記複数種のプリントジョブのイメージデータが印刷前に一時的に記憶される第１記憶部と、
外部装置から受信したプリントジョブのプリントデータを記憶する第２記憶部と、
前記第２記憶部に記憶された前記プリントデータを展開してイメージデータを生成する生成部と、
前記生成部が生成した前記イメージデータを前記第１記憶部に転送する転送部と、
前記第１記憶部の残容量に応じて、前記転送部における前記第１記憶部への転送を制御する制御部と、を備えたことを特徴とする画像処理装置が提供される。
【手続補正３】
【補正対象書類名】明細書
【補正対象項目名】００１１
【補正方法】変更
【補正の内容】
【００１１】
上記画像処理装置において、前記制御部は、前記第１記憶部に記憶されている前記イメージデータの記憶容量が所定値以上か否かを判定する記憶容量判定部を含むことができ、前記制御部は、前記記憶容量が前記所定値以上の場合、前記転送部における前記第１記憶部への転送を一時的に停止することができる。
【手続補正４】
【補正対象書類名】明細書
【補正対象項目名】００３３
【補正方法】変更
【補正の内容】
【００３３】
また、本実施形態の画像処理装置は、外部のコンピュータ（パーソナルコンピュータ３）からのプリントデータの第１プリントジョブおよび、ファクシミリ処理部またはコピー処理部からのイメージデータの第２プリントジョブを実行する画像処理装置であって、コンピュータからプリントデータを受信する受信部（転送部１６１）と、プリントデータを展開してイメージデータを生成する生成部（展開部１６７および転送制御部１６９）と、イメージデータを蓄積するバッファ（バッファ１５８）と、を含む第１基板（ＰＤＬコントローラ１５０）と、第１基板と電気的に接続された第２基板（本体装置１００）と、第１基板から第２基板にイメージデータを転送する転送部（転送部１３２および転送部１６１）と、を備え、第２基板は、第１基板から転送されたイメージデータを受信する第１受信部（格納部１３６）と、第２プリントジョブを実行するイメージデータをファクシミリ処理部（ファクシミリ処理部１２６）またはコピー処理部（コピー処理部１２４）から受信する第２受信部（格納部１３６）と、第１および第２受信部が受信したイメージデータを格納する記憶部（画像メモリ１１２）と、記憶部に格納されたイメージデータを印字する印字部（出力部１３８およびプリンタ部１７０）と、第２基板の記憶部の残容量に応じて、転送部における第１基板から第２基板へのイメージデータの転送を制御する制御部（判定部１３４、転送制御部１３５および、転送部１３２）と、を含む。
【手続補正書】
【提出日】平成20年3月14日(2008.3.14)
【手続補正１】
【補正対象書類名】明細書
【補正対象項目名】０００５
【補正方法】変更
【補正の内容】
【０００５】
しかし、このノイズ発生器では、リレースイッチの断続によってノイズを発生させているので、リレースイッチの寿命が短い。また、リレースイッチの接点間に発生するアークに基づいてノイズを発生しているので、外部に不要なノイズを放射する可能性が高い。
【手続補正書】
【提出日】平成19年11月14日(2007.11.14)
【手続補正１】
【補正対象書類名】明細書
【補正対象項目名】０００３
【補正方法】変更
【補正の内容】
【０００３】
テレビ信号をコンピュータの表示装置で見ることのできる信号に変換する過程ではデインターレース（deinterlace）を行う必要があった（たとえば、米国特許第５，１３４，４８０号参照）。テレビ信号がデジタル化されてコンピュータ内に入力されると、コンピュータはこのテレビ信号をソフトウェアによりデインターレースしてから表示装置上の子画面上で再生することができる。そのため、ユーザはコンピュータを使用しながら、子画面中のテレビ番組を見ることができた。また、コンピュータによりテレビ信号を圧縮してハードディスク中に保存してから、後で表示装置により再生することもできた。
【手続補正２】
【補正対象書類名】明細書
【補正対象項目名】０００４
【補正方法】変更
【補正の内容】
【０００４】
しかし、映像処理を行うには非常に大きな計算量が必要となるため、コンピュータを利用してデインターレースを実行した場合、コンピュータ資源が占用され、コンピュータにとって大きな負担となった。そのため、従来技術ではコンピュータのアルゴリズムを減らすために、デインターレースのアルゴリズムを簡単化していた。しかし、アルゴリズムを簡単化すると、画面の品質が劣化する上、ソフトウェアを利用してデインターレースを実行すると、速度が遅くなって画面の動きもスムーズでなくなった。
【特許文献１】米国特許第５，１３４，４８０号
【手続補正書】
【提出日】平成20年3月24日(2008.3.24)
【手続補正１】
【補正対象書類名】明細書
【補正対象項目名】００２４
【補正方法】変更
【補正の内容】
【００２４】
スライダー３は、ガイド溝６にそれぞれ個別にその長手方向にスライド可能に係合し得るものであり、第２筐体１２の下面に例えばねじやビス等により固着されている。スライダー３は、ガイド溝６を貫通して第２筐体１２に取り付けられる摺動部３１と、その摺動部３１の第１筐体１１側に設けられるフランジ部３２とを有している。スライダー３は、例えばプレス加工により形成されている。フランジ部３２は、ガイド溝６の孔より大きな幅の略長円状に形成されている。フランジ部３２の表面（第１筐体１１側の表面）であってその長手方向の略中央部の表面には、付勢手段４の他端部を取り付けるための取付部３４が設けられている。
【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
カラー画像から文字画像を含む領域を抽出する文字画像領域抽出手段と、
前記文字画像領域抽出手段により抽出する領域に含まれる文字画像が単色であるかを判定する第１単色判定手段と、
前記文字画像領域抽出手段により抽出する領域に含まれる文字画像を除いた背景部分が単色であるかを判定する第２単色判定手段と、
前記第１単色判定手段により単色であると判定される場合には、前記文字画像領域抽出手段により抽出する領域を二値化して文字画像マスクを生成し、前記第１単色判定手段により単色でないと判定される場合であって、かつ、前記第２単色判定手段により単色であると判定される場合には、前記文字画像領域抽出手段により抽出する領域を二値化した画像を反転して文字画像マスクを生成する文字画像マスク生成手段と、
前記文字画像マスク生成手段により生成される文字画像マスクの黒画素の比率が所定の閾値よりも大きい場合には、前記文字画像マスクを論理反転する手段と、
を含むことを特徴とする画像処理装置。
【請求項２】
請求項１に記載の画像処理装置において、
前記文字画像マスク生成手段により生成する文字画像マスクを用いて、文字認識処理を行う手段をさらに含む、
ことを特徴とする画像処理装置。
【請求項３】
請求項１又は２に記載の画像処理装置において、
前記第１単色判定手段により単色であると判定される場合には、前記文字画像領域抽出手段により抽出する領域に含まれる文字画像の色をマスクの代表色とし、前記第１単色判定手段により単色でないと判定される場合であって、かつ、第２単色判定手段により単色であると判定される場合には、前記文字画像領域抽出手段により抽出する領域に含まれる文字画像を除いた背景部分の色をマスクの代表色と決定するマスク代表色決定手段をさらに含む、
ことを特徴とする画像処理装置。
【請求項４】
請求項３に記載の画像処理装置において、
前記文字画像マスク生成手段により生成する文字画像マスクを参照して、前記カラー画像から文字画像を分離して背景画像を生成する背景画像生成手段と、
前記背景画像生成手段により生成される背景画像と、前記文字画像マスク生成手段により生成する文字画像マスクとをそれぞれ圧縮したデータと、前記文字画像マスクの位置情報および前記マスク代表色決定手段により決定するマスクの代表色の情報を含む圧縮画像ファイルを生成する圧縮画像ファイル生成手段と、
前記圧縮画像ファイル生成手段により生成する圧縮画像ファイルを送信する圧縮画像ファイル送信手段と、をさらに含む、
ことを特徴とする画像処理装置。
【請求項５】
請求項４に記載の画像処理装置と接続される文字認識処理装置において、
前記画像処理装置の圧縮画像ファイル送信手段により送信される圧縮画像ファイルを受信する圧縮画像データ受信手段と、
前記圧縮画像ファイル受信手段により受信される圧縮画像ファイルを展開して取得する文字画像マスクの黒画素の比率が所定の閾値よりも大きい場合には、前記文字画像マスクを論理反転して文字認識し、そうでない場合には論理反転することなく文字認識する手段と、を含む、
ことを特徴とする文字認識処理装置。
【請求項６】
カラー画像から文字画像を含む領域を抽出する文字画像領域抽出手段、
前記文字画像領域抽出手段により抽出する領域に含まれる文字画像が単色であるかを判定する第１単色判定手段、
前記文字画像領域抽出手段により抽出する領域に含まれる文字画像を除いた背景部分が単色であるかを判定する第２単色判定手段、
前記第１単色判定手段により単色であると判定される場合には、前記文字画像領域抽出手段により抽出する領域を二値化して文字画像マスクを生成し、前記第１単色判定手段により単色でないと判定される場合であって、かつ、前記第２単色判定手段により単色であると判定される場合には、前記文字画像領域抽出手段により抽出する領域を二値化した画像を反転して文字画像マスクを生成する文字画像マスク生成手段、及び、
前記文字画像マスク生成手段により生成される文字画像マスクの黒画素の比率が所定の閾値よりも大きい場合には、前記文字画像マスクを論理反転する手段、
としてコンピュータを機能させるためのプログラム。
【手続補正書】
【提出日】平成20年2月13日(2008.2.13)
【手続補正１】
【補正対象書類名】特許請求の範囲
【補正対象項目名】請求項９
【補正方法】変更
【補正の内容】
【請求項９】
請求項４乃至８のいずれか１項に記載の無線センサ装置と、前記無線センサ装置より無線送信される前記一連のデータを受信する受信装置とを備え、前記受信装置は、前記ＣＲＣ信号を用いて前記センサデータの誤りチェックを行うことを特徴とする無線センサシステム。
【手続補正２】
【補正対象書類名】特許請求の範囲
【補正対象項目名】請求項１０
【補正方法】変更
【補正の内容】
【請求項１０】
請求項５乃至８のいずれか１項に記載の無線センサ装置と、前記無線センサ装置より無線送信される前記一連のデータを受信する受信装置とを備え、前記受信装置は、前記一連のデータに含まれる前記複数のセンサデータを対比することにより誤りチェックを行うことを特徴とする無線センサシステム。
【手続補正書】
【提出日】平成19年12月14日(2007.12.14)
【手続補正１】
【補正対象書類名】明細書
【補正対象項目名】００５６
【補正方法】変更
【補正の内容】
【００５６】
また例えば、カメラ１１に赤外線を撮影する赤外線カメラを使用すれば夜間における視認性が向上する。
【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
読み取った画像を属性の異なる像域に分割する分割手段と、
前記像域それぞれに埋め込まれたポインタ情報を抽出する抽出手段と、
前記ポインタ情報が抽出されず、ユーザによりベクトル化が指示された像域の画像をベクトルデータに変換する変換手段と、
前記ベクトルデータにセキュリティレベルを設定する設定手段と、
前記セキュリティレベルを設定したベクトルデータをサーバに登録する登録手段とを有することを特徴とする画像処理装置。
【請求項２】
さらに、ユーザ認証を行う認証手段を有し、前記登録手段は、前記認証手段が認証したユーザのIDを前記ベクトルデータに記録することを特徴とする請求項1に記載された画像処理装置。
【請求項３】
さらに、ユーザ認証を行う認証手段と、
前記抽出手段によって前記ポインタ情報が抽出された前記像域それぞれのデータに設定されたセキュリティレベルを、前記ポインタ情報に基づき前記サーバから取得する取得手段と、
前記取得手段が取得したセキュリティレベルと、前記認証手段が認証したユーザのセキュリティレベルとを比較して、各像域の画像の編集または印刷の可否を判定する判定手段とを有することを特徴とする請求項1に記載された画像処理装置。
【請求項４】
さらに、前記ポインタ情報に基づき前記サーバからデータを取得するデータ取得手段と、
前記編集可能と判定された像域の画像に対応する、前記データ取得手段が取得したデータを編集する編集手段とを有することを特徴とする請求項3に記載された画像処理装置。
【請求項５】
さらに、前記ポインタ情報に基づき前記サーバからデータを取得するデータ取得手段と、
前記印刷可能と判定された像域の画像に対応する、前記データ取得手段が取得したデータを用いて画像を印刷する印刷手段とを有することを特徴とする請求項3に記載された画像処理装置。
【請求項６】
前記印刷手段は、印刷する各像域に、その像域の前記ポインタ情報および前記セキュリティレベルを埋め込むことを特徴とする請求項5に記載された画像処理装置。
【請求項７】
さらに、前記サーバに登録されたベクトルデータのセキュリティレベルを変更する変更手段を有することを特徴とする請求項1から請求項6の何れか一項に記載された画像処理装置。
【請求項８】
さらに、原稿画像を読み取る読取手段を有することを特徴とする請求項1から請求項7の何れか一項に記載された画像処理装置。
【請求項９】
読み取った画像を属性の異なる像域に分割し、
前記像域それぞれに埋め込まれたポインタ情報を抽出し、
前記ポインタ情報が抽出されず、ユーザによりベクトル化が指示された像域の画像をベクトルデータに変換し、
前記ベクトルデータにセキュリティレベルを設定し、
前記セキュリティレベルを設定したベクトルデータをサーバに登録することを特徴とする画像処理方法。
【請求項１０】
さらに、ユーザ認証を行い、前記認証したユーザのIDを前記ベクトルデータに関連付けて前記サーバに登録することを特徴とする請求項9に記載された画像処理方法。
【請求項１１】
さらに、ユーザ認証を行い、
前記ポインタ情報が抽出された前記像域それぞれのデータに設定されたセキュリティレベルを、前記ポインタ情報に基づき前記サーバから取得し、
前記取得したセキュリティレベルと、前記認証したユーザのセキュリティレベルを比較して、各像域の画像の編集または印刷の可否を判定することを特徴とする請求項9に記載された画像処理方法。
【請求項１２】
さらに、前記ポインタ情報に基づき前記サーバからデータを取得し、
前記編集可能と判定した像域の画像に対応する、前記取得したデータを編集することを特徴とする請求項11に記載された画像処理方法。
【請求項１３】
さらに、前記ポインタ情報に基づき前記サーバからデータを取得し、
前記印刷可能と判定した像域の画像に対応する、前記取得したデータを用いて画像を印刷することを特徴とする請求項11に記載された画像処理方法。
【請求項１４】
さらに、前記印刷する各像域に、その像域の前記ポインタ情報および前記セキュリティレベルを埋め込むことを特徴とする請求項13に記載された画像処理方法。
【請求項１５】
さらに、前記サーバに登録されたベクトルデータのセキュリティレベルを変更することを特徴とする請求項9から請求項14の何れか一項に記載された画像処理装置。
【請求項１６】
コンピュータに、請求項9から請求項15の何れか一項に記載された画像処理を実行させるためのコンピュータプログラム。
【請求項１７】
請求項16に記載されたコンピュータプログラムが記録されたことを特徴とするコンピュータが読み取り可能な記録媒体。
【手続補正２】
【補正対象書類名】明細書
【補正対象項目名】０００８
【補正方法】変更
【補正の内容】
【０００８】
本発明にかかる画像処理装置は、読み取った画像を属性の異なる像域に分割する分割手段と、前記像域それぞれに埋め込まれたポインタ情報を抽出する抽出手段と、前記ポインタ情報が抽出されず、ユーザによりベクトル化が指示された像域の画像をベクトルデータに変換する変換手段と、前記ベクトルデータにセキュリティレベルを設定する設定手段と、前記セキュリティレベルを設定したベクトルデータをサーバに登録する登録手段とを有することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
本発明にかかる画像処理方法は、読み取った画像を属性の異なる像域に分割し、前記像域それぞれに埋め込まれたポインタ情報を抽出し、前記ポインタ情報が抽出されず、ユーザによりベクトル化が指示された像域の画像をベクトルデータに変換し、前記ベクトルデータにセキュリティレベルを設定し、前記セキュリティレベルを設定したベクトルデータをサーバに登録することを特徴とする。
【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
圧電材料により形成された基部と、
前記基部と一体に形成され、互いに平行に延びる複数の振動腕と、
前記各振動腕の長手方向に沿って形成された長溝と、
前記長溝の内面に配置された内面電極、および前記振動腕の前記内面電極に対向する側面に配置された側面電極により形成された励振電極と
を備えており、
前記各振動腕の幅寸法が、前記振動腕の前記基部に対する付け根の箇所で、基部側に向かって拡幅する拡幅部を有し、この拡幅部の側面および主面に前記側面電極が引き回されており、前記拡幅部は、基部側に向かって拡幅の度合いを段階的に変えながら拡幅していることを特徴とする圧電振動片。
【請求項２】
パッケージまたはケース内に圧電振動片を収容した圧電デバイスであって、
前記圧電振動片が、
圧電材料により形成された基部と、
前記基部と一体に形成され、互いに平行に延びる複数の振動腕と、
前記各振動腕の長手方向に沿って形成された長溝と、
前記長溝の内面に配置された内面電極、および前記振動腕の前記内面電極に対向する側面に配置された側面電極により形成された励振電極と
を備えており、
前記各振動腕の幅寸法が、前記振動腕の前記基部に対する付け根の箇所で、基部側に向かって拡幅する拡幅部を有し、この拡幅部の側面および主面に前記側面電極が引き回されており、
前記拡幅部は、基部側に向かって拡幅の度合いを段階的に変えながら拡幅していることを特徴とする圧電デバイス。
【手続補正２】
【補正対象書類名】明細書
【補正対象項目名】００１０
【補正方法】変更
【補正の内容】
【００１０】
上記目的は、本願の発明にあっては、圧電材料により形成された基部と、前記基部と一体に形成され、互いに平行に延びる複数の振動腕と、前記各振動腕の長手方向に沿って形成された長溝と、前記長溝の内面に配置された内面電極、および前記振動腕の前記内面電極に対向する側面に配置された側面電極により形成された励振電極とを備えており、前記各振動腕の幅寸法が、前記振動腕の前記基部に対する付け根の箇所で、基部側に向かって拡幅する拡幅する拡幅部を有し、この拡幅部の側面および主面に前記側面電極が引き回されており、前記拡幅部は、基部側に向かって拡幅の度合いを段階的に変えながら拡幅している圧電振動片により達成される。
【手続補正３】
【補正対象書類名】明細書
【補正対象項目名】００１２
【補正方法】変更
【補正の内容】
【００１２】
さらに、拡幅部は、基部側に向かって拡幅の度合いを段階的に変えながら拡幅しているので、拡幅部の側面と拡幅部の主面とが接する長さを、拡幅の度合いを変えない場合に比べて、長くすることができる。したがって、拡幅部の側面と拡幅部の主面との断線を防止することができる。
【手続補正４】
【補正対象書類名】明細書
【補正対象項目名】００１３
【補正方法】変更
【補正の内容】
【００１３】
また、上記目的は、本願の発明にあっては、パッケージまたはケース内に圧電振動片を収容した圧電デバイスであって、前記圧電振動片が、圧電材料により形成された基部と、前記基部と一体に形成され、互いに平行に延びる複数の振動腕と、前記各振動腕の長手方向に沿って形成された長溝と、前記長溝の内面に配置された内面電極、および前記振動腕の前記内面電極に対向する側面に配置された側面電極により形成された励振電極とを備えており、前記各振動腕の幅寸法が、前記振動腕の前記基部に対する付け根の箇所で、基部側に向かって拡幅する拡幅部を有し、この拡幅部の側面および主面に前記側面電極が引き回されており、前記拡幅部は、基部側に向かって拡幅の度合いを段階的に変えながら拡幅している圧電デバイスにより達成される。
このような構成によれば、電極間の短絡を防止するとともに電極の断線を防止し、振動腕の屈曲振動を安定させて、ＣＩ値を低く抑えた圧電デバイスを提供することができる。
【手続補正書】
【提出日】平成20年9月9日(2008.9.9)
【手続補正１】
【補正対象書類名】明細書
【補正対象項目名】発明の名称
【補正方法】変更
【補正の内容】
【発明の名称】半導体装置及びその駆動方法
【手続補正２】
【補正対象書類名】特許請求の範囲
【補正対象項目名】全文
【補正方法】変更
【補正の内容】
【特許請求の範囲】
【請求項１】
下部電極と、前記下部電極上に順に積層された第１及び第２の層と、前記第２の層上に設けられた上部電極と、を備えたメモリ素子を有し、
前記第１の層の誘電率は、前記第２の層の誘電率より低いことを特徴とする半導体装置。
【請求項２】
下部電極と、前記下部電極上に順に積層された第１及び第２の層と、前記第２の層上に設けられた上部電極と、を備えたメモリ素子を有し、
前記第１の層の耐圧は、前記第２の層の耐圧より小さいことを特徴とする半導体装置。
【請求項３】
下部電極と、前記下部電極上に順に積層された第１及び第２の層と、前記第２の層上に設けられた上部電極と、を備えたメモリ素子を有し、
前記第１の層のガラス転移温度は、前記第２の層のガラス転移温度より低いことを特徴とする半導体装置。
【請求項４】
下部電極と、前記下部電極上に順に積層された無機材料からなる第１の層と、無機材料からなる第２の層と、前記第２の層上に設けられた上部電極と、を備えたメモリ素子を有し、
第１の電圧印加により前記無機材料からなる第１の層が破壊されるように前記第１の層及び前記第２の層のそれぞれの誘電率、又は耐圧が決定されたことを特徴とする半導体装置。
【請求項５】
下部電極と、前記下部電極上に順に積層された有機材料からなる第１の層と、有機材料からなる第２の層と、前記第２の層上に設けられた上部電極と、を備えたメモリ素子を有し、
第１の電圧印加により前記有機材料からなる第１の層が破壊されるように前記第１の層及び前記第２の層のそれぞれのガラス転移温度が決定されたことを特徴とする半導体装置。
【請求項６】
下部電極と、前記下部電極上に順に積層された無機材料からなる第１の層と、有機材料からなる第２の層と、前記第２の層上に設けられた上部電極と、を備えたメモリ素子を有し、
第１の電圧印加により前記無機材料からなる第１の層が破壊されるように前記第１の層及び前記第２の層のそれぞれの誘電率、又は耐圧が決定されたことを特徴とする半導体装置。
【請求項７】
請求項１乃至請求項６のいずれか一において、
前記第２の層の膜厚は、前記第１の層の膜厚より厚いことを特徴とする半導体装置。
【請求項８】
請求項１乃至請求項７のいずれか一において、
前記第１の層と、前記第２の層との間に設けられた第３の層を有し、
前記第３の層は、発熱材料からなることを特徴とする半導体装置。
【請求項９】
請求項１乃至請求項７のいずれか一において、
前記第１の層と、前記第２の層との間に設けられた第３の層を有し、
前記第３の層は、金属材料からなることを特徴とする半導体装置。
【請求項１０】
請求項１乃至請求項７のいずれか一において、
前記第１の層と、前記第２の層との間に設けられた第３の層を有し、
前記第３の層は、有機化合物と金属酸化物とが混在した層からなることを特徴とする半導体装置。
【請求項１１】
請求項１０において、
前記金属酸化物は、バナジウム酸化物、モリブデン酸化物、ニオブ酸化物、レニウム酸化物、タングステン酸化物、ルテニウム酸化物、チタン酸化物、クロム酸化物、ジルコニウム酸化物、ハフニウム酸化物、タンタル酸化物のいずれかであることを特徴とする半導体装置。
【請求項１２】
下部電極及び上部電極間に第１の層及び第２の層が介在したメモリ素子を有する半導体装置の駆動方法であって、
第１電圧印加により前記第１の層を破壊して、前記下部電極と前記第２の層とが短絡し、
第２電圧印加により前記第２の層を破壊して、前記下部電極と前記上部電極とが短絡することを特徴とする半導体装置の駆動方法。
【請求項１３】
下部電極及び上部電極間に第１の層及び第２の層が介在したメモリ素子と、前記メモリ素子に接続されたトランジスタとを有する半導体装置の駆動方法であって、
第１電圧印加により前記第１の層を破壊し、前記メモリ素子に電流が流れる第１の電圧値と、第２電圧印加により前記第２の層を破壊し、前記メモリ素子に電流が流れる第２の電圧値と、を用いて前記メモリ素子へ書き込みが行われることを特徴とする半導体装置の駆動方法。
【請求項１４】
下部電極及び上部電極間に無機材料からなる第１の層及び有機材料からなる第２の層が介在したメモリ素子を有する半導体装置の駆動方法であって、
第１電圧印加により前記無機材料からなる第１の層を破壊して、前記下部電極と前記第２の層とが短絡し、
第２電圧印加により前記有機材料からなる第２の層を破壊して、前記下部電極と前記上部電極とが短絡することを特徴とする半導体装置の駆動方法。
【請求項１５】
下部電極及び上部電極間に無機材料からなる第１の層及び有機材料からなる第２の層が介在したメモリ素子と、前記メモリ素子に接続されたトランジスタとを有する半導体装置の駆動方法であって、
第１電圧印加により前記無機材料からなる第１の層を破壊し、前記メモリ素子に電流が流れる第１の電圧値と、第２電圧印加により前記有機材料からなる第２の層を破壊し、前記メモリ素子に電流が流れる第２の電圧値と、を用いて前記メモリ素子へ書き込みが行われることを特徴とする半導体装置の駆動方法。
【請求項１６】
請求項１２乃至請求項１５のいずれか一において、
前記第１電圧印加により破壊される前記第１の層は、前記第２の層より薄いことを特徴とする半導体装置の駆動方法。